(57)【要約】【課題】片手だけで表示部の表示を確実に切り替えることのできる手持ち表示器を提供する。【解決手段】手持ち表示器としての手旗反転器１は、操作レバー３１を有する樹脂パイプ３と、操作レバー３１の操作により動力を発生する移動棒５と、移動棒５の動力によって回転する縦軸７と、縦軸７に固定された旗部９とを備えている。【選択図】図１
0003155394.tif 000002
【実用新案登録請求の範囲】
【請求項１】
操作部を有する把持部と、
前記操作部の操作により動力を発生する動力発生部と、
前記動力によって回転する回転軸と、
前記回転軸に固定された表示部とを備える、手持ち表示器。
【請求項２】
前記動力発生部はラックを含み、
前記回転軸は前記ラックと噛み合うピニオンを含み、
前記ラックが長手方向へ移動する力によって前記回転軸は回転する、請求項１に記載の手持ち表示器。
【請求項３】
前記動力発生部は前記回転軸に巻き付けられたぜんまいバネを含み、
付勢された前記ぜんまいバネが開放される際の力によって前記回転軸は回転する、請求項１に記載の手持ち表示器。
【請求項４】
前記表示部に取り付けられた発光ダイオードをさらに備える、請求項１〜３のいずれかに記載の手持ち表示器。
【考案の詳細な説明】
【技術分野】
【０００１】
本考案は、手持ち表示器に関し、より特定的には、自動車などの誘導を行う際に用いられる手旗などの手持ち表示器に関する。
【背景技術】
【０００２】
交通に支障がある箇所、特に車道や歩道をふさぐ工事現場やイベントの開催場所などでは、自動車、二輪車、または歩行者などの誘導が行われる。たとえば道路上で自動車などを片側交互通行により通行させる際には、一方の手に赤旗、他方の手に白旗を持った交通誘導員が、片側交互通行の区域の開始地点と終了地点との各々に配置される。場合によっては、片側交互通行の区域の中間地点にも交通誘導員が配置される。各交通誘導員は、進行させる車両に対して白旗を示し、停止させる車両に対して赤旗を示すことにより、片側交互通行の区域において車両を交互に進行させるが、赤旗と白旗とを持ち替える際に誘導が空白になる。
【０００３】
片側交互通行の区域が長い場合などには、各交通誘導員は相互に連絡を取り合うためにトランシーバなどの無線機を持っている。しかし、交通誘導員は既に両手に手旗を持っているので、無線機を使い難い。このため、無線機によって相互に連携して誘導を行うことが難しく、運転者や歩行者に対する指示が不明確になり易い。また、無線機に気を取られるあまり赤旗と白旗とを誤って逆に示して誘導したり、無線機を一方の手で持って赤旗および白旗の両方をもう一方の手に持って誘導したりし易い。このような誘導では、旗の指示が不明確となり易い。さらに、無線機を使いやすくするために、昼間であるにもかかわらず手旗の代わりに片手に赤色棒のみを持って誘導を行う場合もある。この場合にも、運転者や歩行者に対する指示が不明確になり易い。
【０００４】
交通誘導員の指示が不明確になれば、安全確実な誘導ができず、交通事故を引き起こす恐れがある。したがって、自動車などを安全確実に誘導するためには、片手で無線機を操作することで各交通誘導員が相互に連携して誘導を行い、それと同時に片手だけで赤旗と白旗とを確実に操作することで明確な指示を出す必要がある。
【０００５】
ここで、実用新案登録第３１４８２２２号公報（特許文献１）には、パイプ内部を貫通する１本の棒の両端にそれぞれ白旗と赤旗とを取り付けた手旗が開示されている。たとえば赤旗から白旗に表示を変える際には、パイプを１８０度回転することにより白旗側の端を相対的に遠い位置に配置し、パイプを手前に引くことによりパイプを棒の白旗側の端から赤旗側の端の方へ移動させる。これにより、赤旗がパイプの内部に収納され、白旗が外部に露出される。
【特許文献１】実用新案登録第３１４８２２２号公報
【考案の開示】
【考案が解決しようとする課題】
【０００６】
しかしながら、特許文献１の技術では、旗の色を変える時にパイプを１８０度回転させる必要があるので、片手だけで取り扱おうとすると、パイプを持っていた手が順手（手の甲が上を向いた状態）から逆手（手のひらが上を向いた状態）へ変化する。その結果、旗の色を変えた後は逆手の状態で旗を操作する必要があり、片手だけで旗（表示部）の表示を確実に切り替えることが難しいという問題があった。
【０００７】
なお、上述の問題は、無線機を持った交通誘導員にのみ生じ得る問題ではない。たとえば横断歩道を渡る歩行者の誘導を行うための手旗であっても、横断歩道手前で自動車が速やかに停止できるよう、片手だけで旗の表示を確実に切り替えることが求められている。
【０００８】
したがって、本考案の目的は、片手だけで表示部の表示を確実に切り替えることのできる手持ち表示器を提供することである。
【課題を解決するための手段】
【０００９】
本考案における手持ち表示器は、操作部を有する把持部と、操作部の操作により動力を発生する動力発生部と、動力によって回転する回転軸と、回転軸に固定された表示部とを備えている。
【００１０】
本考案によれば、把持部を握った状態で操作部を指で操作することにより、動力発生部において動力が発生し、その動力によって回転軸とともに表示部が回転する。その結果、表示部が一方の面の表示から他方の面の表示に切り替えられる。指による操作によって表示部の表示を変えることができるので、片手だけで表示部の表示を確実に切り替えることができる。
【００１１】
上記手持ち表示器において好ましくは、動力発生部はラックを含んでおり、回転軸はラックと噛み合うピニオンを含んでいる。ラックが長手方向へ移動する力によって回転軸は回転する。これにより、ラックが移動する動力を、ピニオンを介して回転軸および表示部に伝えることができる。
【００１２】
上記手持ち表示器において好ましくは、動力発生部は回転軸に巻き付けられたぜんまいバネ（つるまきバネ）を含んでおり、付勢されたぜんまいバネが開放される際の力によって回転軸は回転する。これにより、付勢されたぜんまいバネが元に戻ろうとする力を動力として、回転軸とともに表示部を回転させることができる。
【００１３】
上記手持ち表示器において好ましくは、表示部に取り付けられた発光ダイオードをさらに備えている。これにより、視野が不良の場合でも、表示部の表示を鮮明にすることができる。
【考案の効果】
【００１４】
本考案によれば、片手だけで表示部の表示を確実に切り替えることができる。
【図面の簡単な説明】
【００１５】
【図１】本考案の実施の形態１における手旗反転器の構成を模式的に示す斜視図である。
【図２】本考案の実施の形態１における手旗反転器において、旗の表示が切り替わった状態を模式的に示す斜視図である。
【図３】本考案の実施の形態２における手旗反転器における回転軸付近の構成を模式的に示す上面図である。
【図４】本考案の実施の形態２における手旗反転器におけるパイプ内部の構成を模式的に示す断面図である。
【図５】本考案の実施の形態２における手旗反転器において、旗の表示が切り替わった状態における回転軸付近の構成を模式的に示す上面図である。
【図６】本考案の実施の形態２における手旗反転器において、旗の表示が切り替わった状態におけるパイプ内部の構成を模式的に示す断面図である。
【考案を実施するための最良の形態】
【００１６】
以下、本考案の実施の形態について、図面に基づいて説明する。
【００１７】
（実施の形態１）
【００１８】
図１は、考案の実施の形態１における手旗反転器の構成を模式的に示す斜視図である。図１を参照して、本実施の形態における手持ち表示器としての手旗反転器１は、小口径で中空の樹脂パイプ３（把持部）と、移動棒５（動力発生部）と、縦軸７（回転軸）と、旗部９（表示部）とを備えている。
【００１９】
樹脂パイプ３には、細長い形状の溝３２と、縦軸７の軸受け部となる孔３３および３４とが開口されている。樹脂パイプ３は操作レバー３１（操作部）を有している。操作レバー３１は移動棒５の図１中左側の幅広部分に固定されていて、溝３２から外部へ突出している。樹脂パイプ３は、樹脂以外の材料よりなっていてもよく、その大きさおよび形状は任意である。樹脂パイプ３は透明な材料よりなっていてもよいし、半透明な材料あるいは透明でない材料よりなっていてもよい。図１においては、構成をわかりやすくするため、樹脂パイプ３が透明であり、その内部の構造が透けて見えている状態を示している。
【００２０】
樹脂パイプ３の内部には移動棒５が収納されている。移動棒５はラック５１を含んでいる。ラック５１は、移動棒５の図１中右側の細幅部分の側面に形成されている。移動棒はたとえば樹脂よりなっている。
【００２１】
縦軸７は、図１中縦方向に延在しており、孔３３および３４内に回転可能となるように嵌め込まれている。縦軸７はピニオン７１を含んでいる。ピニオン７１はラック５１と噛み合っている。縦軸７は、縦軸止めネジ７３によってその上部が樹脂パイプに３に固定されている。縦軸７はたとえば樹脂よりなっている。
【００２２】
旗部９は、旗９１と、水平棒９２と、金具９３とを含んでいる。旗９１は金具９３によって水平棒９２に吊り下げられており、水平棒９２は水平棒止めネジ７５によって縦軸７に固定されている。旗９１は、たとえば一方の面９１ａに設けられた赤旗と、他方の面９１ｂ（図２）に設けられた白旗とを重ね合わせることによって構成されている。また、旗９１は、たとえば「すすめ」の文字が記載されたパネルと、「とまれ」の文字が記載されたパネルとによって構成されていてもよい。旗９１は光を反射する反射板よりなっていてもよい。旗部９は、さらに発光ダイオード（ＬＥＤ）９４および９５（図２）を含んでいてもよい。ＬＥＤ９４はたとえば水平棒９２に取り付けられていてもよく、一方の面９１ａ側に設けられたＬＥＤ９４と他方の面９１ｂ側に設けられたＬＥＤ９５とが互いに異なる色（たとえば赤色と白色）を発光してもよい。一方、これらのＬＥＤを省略することにより、ＬＥＤを発光させるための電池やスイッチなどの構成も省略可能となり、手旗反転器を簡素化することができ、軽量化を図ることができる。
【００２３】
続いて、本実施の形態における手旗反転器の動作について説明する。
【００２４】
たとえば交通誘導員などの使用者は、樹脂パイプ３の図１中左端部分を片手で持ち、操作レバー３１を矢印Ａ１で示す方向（後方向）に指で動かす。すると、移動棒５が操作レバー３１とともに矢印Ａ１で示す方向に移動する。移動棒５が移動すると、ラック５１とピニオン７１とが摺動し、縦軸７が矢印Ｂ１で示す方向に回転する。縦軸７が回転すると、旗９１は、縦軸（ピニオン）に直結した水平棒９２とともに矢印Ｃ１で示す方向に１８０度回転する。その結果、旗９１は瞬時に（たとえば数秒で）赤旗から白旗へ切り替わり、図２に示す状態となる。
【００２５】
図２を参照して、使用者が操作レバー３１を矢印Ａ２で示す方向（前方向）に指で動かすと、移動棒５が操作レバー３１とともに矢印Ａ２で示す方向に移動する。移動棒５が移動すると、ラック５１とピニオン７１とが摺動し、縦軸７が矢印Ｂ２で示す方向に回転する。縦軸７が回転すると、旗９１は、縦軸（ピニオン）に直結した水平棒９２とともに矢印Ｃ２で示す方向に１８０度回転（反転）する。その結果、旗９１は瞬時に（たとえば数秒で）白旗から赤旗へ切り替わり、図１に示す状態となる。
【００２６】
なお、溝３２のサイズは、その一方の端部に操作レバー３１が当接するときに旗９１が図１の状態となり、その他方の端部に操作レバー３１が当接することにより旗９１が図２の状態となることが好ましい。これにより、手旗反転器１の操作者は、操作レバー３１の稼働域の端から端まで操作レバー３１を動かすことで、旗９１の表示が明確になる位置に旗部９を位置させることができる。表示が明確になる位置とは、図１および図２に示すように、樹脂パイプ３の長手方向と旗９１の面とが平行になる位置である。
【００２７】
なお、このような旗９１の表示が明確となる操作レバー３１の位置に、操作レバー３１を一時的に固定するロック機構を設けてもよい。このようなロック機構を設けることで、図１や図２に示すような位置で旗部９を一時的に固定することができ、手旗反転器１の使い勝手がさらに良くなる。
【００２８】
本実施の形態における手旗反転器１は、操作レバー３１を有する樹脂パイプ３と、操作レバー３１の操作により動力を発生する移動棒５と、移動棒５の動力によって回転する縦軸７と、縦軸７に固定された旗部９とを備えている。
【００２９】
本実施の形態における手旗反転器１によれば、一方の手だけで赤旗および白旗の切り替え操作を確実に行うことができるので、他方の手で交通誘導員相互の指示、連絡がタイムリーにできる無線機などを操作することができる。これにより、安全かつ適切な誘導がなされ、事故を回避することができる。
【００３０】
また、移動棒５のラック５１と縦軸７のピニオン７１とが噛み合っており、ラック５１が長手方向に移動する力によって縦軸７は回転するので、ラック５１が移動する動力を、ピニオン７１を介して縦軸７および旗部９に伝えることができる。
【００３１】
さらに、旗部９にＬＥＤ９４および９５を取り付けることにより、夜間など視野が不良の場合でも、旗９１の表示を鮮明にすることができる。
【００３２】
（実施の形態２）
【００３３】
図３は、本考案の実施の形態２における手旗反転器における回転軸付近の構成を模式的に示す上面図である。図４は、本考案の実施の形態２における手旗反転器におけるパイプ内部の構成を模式的に示す断面図である。なお、図１は操作レバーが左側、縦軸が右側となる側から見た場合の図であったが、図４および図６は、操作レバーが右側、縦軸が左側となる側から見た場合の図となっている。図３および図４を参照して、本実施の形態における手旗反転器は、縦軸７を回転させる動力を発生する動力発生部として、ラックではなくぜんまいバネを用いている点において実施の形態１と異なっている。
【００３４】
樹脂パイプ３には、細長い形状の溝３２と、突起部５７を固定するための孔３６および３７とが開口されている。操作レバー３１は移動棒５の図４右側に固定されていて、溝３２から外部へ突出している。
【００３５】
樹脂パイプ３の内部にはバネ部５が収納されている。バネ部５は、ぜんまいバネ５５と、板バネ５６と、突起部５７とを含んでいる。ぜんまいバネ５５は、その先端部５５ａが操作レバー３１の下端部３１ａ付近に固定されており、その本体部５５ｂが縦軸７に巻き付けられている。板バネ５６は、操作レバー３１に取り付けられており、樹脂パイプ３の内側から樹脂パイプ３の上部内壁および下部内壁に対して力を加えている。また、板バネ５６は突起部５７を有している。突起部５７は、図３および図４の状態では、孔３７から突出しており、それによってぜんまいバネ５５が伸びた状態で保持されている。
【００３６】
縦軸７は、孔３３および３４内に回転可能となるように嵌め込まれている。縦軸７は滑車７６を含んでいる。滑車７６は縦軸７の本体に固定されており、その外周にはぜんまいバネ５５の本体部５５ｂが巻き付けられている。
【００３７】
なお、これ以外の手旗反転器１の構成は、実施の形態１の手旗反転器の構成と同様であるので、同一の部材には同一の符号を付し、その説明は繰り返さない。
【００３８】
続いて、本実施の形態における手旗反転器の動作について説明する。
【００３９】
たとえば交通誘導員などの使用者は、樹脂パイプ３の図４中右端部分を片手で持ち、操作レバー３１を矢印Ｄ１で示す方向に指で押す。すると、板バネ５６が収縮し、突起部５７が矢印Ｅ１で示す方向に移動することにより孔３７から外れる。突起部５７が孔３７から外れると、付勢されたぜんまいバネ５５が開放されて、矢印Ｆ１で示す方向に収縮する。操作レバー３１および板バネ５６は、ぜんまいバネ５５の収縮とともに矢印Ｆ１で示す方向に移動する。そして、突起部５７が孔３６の位置まで来たときに板バネ５６の付勢力により突起部５７が孔３６から突出し、それによって、ぜんまいバネ５５が少し伸びた状態で操作レバー３１が固定される。ぜんまいバネ５５の収縮の際には、本体部５５ｂとともに縦軸７も矢印Ｇ１で示す方向に回転する。縦軸７が回転すると、旗９１は、縦軸７に直結した水平棒９２とともに矢印Ｇ１で示す方向に１８０度回転する。その結果、旗９１は瞬時に赤旗から白旗へ切り替わり、図５および図６に示す状態となる。
【００４０】
図５および図６を参照して、使用者が操作レバー３１を矢印Ｄ１で示す方向に指で押すと、板バネ５６が収縮し、突起部５７が矢印Ｅ２で示す方向に移動することにより孔３６から外れる。この状態で、操作レバー３１を溝３２内において矢印Ｆ２で示す方向にスライドさせると、操作レバー３１は板バネ５６とともに矢印Ｆ２の方向に移動し、ぜんまいバネ５５を伸ばした状態にする。そして、突起部５７が孔３７の位置まで来たときに板バネ５６の付勢力により突起部５７が孔３７から突出し、それによってぜんまいバネ５５が大きく伸びた状態で操作レバー３１が固定される。操作レバー３１を矢印Ｆ２の方向に移動させる際には、本体部５５ｂとともに縦軸７も矢印Ｇ２で示す方向に回転する。縦軸７が回転すると、旗９１は、縦軸７に直結した水平棒９２とともに矢印Ｇ２で示す方向に１８０度回転する。その結果、旗９１は白旗から赤旗へ切り替わり、図３および図４に示す状態に戻る。
【００４１】
本実施の形態における手旗反転器によれば、付勢されたぜんまいバネが元に戻ろうとする力を動力として、縦軸７とともに旗９１を回転させることができる。
【００４２】
なお、本実施の形態のぜんまいバネの機構は一例であり、付勢されたぜんまいバネが開放される際の力によって回転軸が回転すれば、本実施の形態と同様の効果を得ることができる。また、本発明の表示部は、赤旗および白旗以外のものであってもよく、一方の面と他方の面とで互いに異なる表示をするものであることが好ましい。さらに、実施の形態１および２の手旗反転器の構成は、適宜組わせることができる。
【００４３】
なお、表示部を構成する旗の素材は、布、紙、フィルム、プラスチックなど何であってもよい。
【００４４】
本考案は、上記の実施形態を具体的に参照して教示したが、当業者は、本考案の精神および範囲から逸脱することなく、形態および詳細に変更を行えることを理解されよう。記述した実施形態は、全ての観点において例証としてのみ見なされ、限定するものではない。実用新案登録請求の範囲の均等物の意味および範囲に入る全ての変更は、それらの範囲内に包含される。
【符号の説明】
【００４５】
１  手旗反転器
３  樹脂パイプ
５  移動棒またはバネ部
７  縦軸
９  旗部
３１  操作レバー
３１ａ  操作レバー下端部
３２  溝
３３，３６，３７  孔
５１  ラック
５５  バネ
５５ａ  バネ先端部
５５ｂ  バネ本体部
５６  板バネ
５７  突起部
７１  ピニオン
７３，７５  ネジ
７６  滑車
９１  旗
９１ａ，９１ｂ  旗の面
９２  水平棒
９３  金具
【図１】
0003155394.tif 000003
【図２】
0003155394.tif 000004
【図３】
0003155394.tif 000005
【図４】
0003155394.tif 000006
【図５】
0003155394.tif 000007
【図６】
0003155394.tif 000008